(57)【要約】【課題】  接続部材の長さが変っても脚部の長さを容易に変更することができ、配線接続部に主回路配線を接続する作業が容易となる回路遮断器を提供する。【解決手段】  複数の端子５を並設したケース１と、複数の端子５にそれぞれ接続された端子接続部８を一端に有するとともに端子接続部８からケース１の背面側に延出した配線接続部９を他端に有する複数の接続部材２と、複数の接続部材２を挿通する挿通孔１３をそれぞれ有しケース１に取着された絶縁部材３と、挿通孔１３に連通するように絶縁部材３に着脱自在に取着され挿通孔１３を挿通した接続部材２を挿通する筒状の脚部材４とを備えている。【選択図】        図１
2005243262.tif 000002
【特許請求の範囲】
【請求項１】
ケースに並設した複数の端子と、前記複数の端子に接続される配線との間に介在される配線接続装置であって、前記複数の端子にそれぞれ接続された端子接続部を一端に有するとともに前記端子接続部から前記ケースの外方に延出する配線接続部を他端に有する複数の接続部材と、前記複数の接続部材を挿通する挿通孔をそれぞれ有し前記ケースに配設される絶縁部材と、前記挿通孔に連通するように前記絶縁部材に着脱自在に取着され前記挿通孔を挿通した前記接続部材を挿通する筒状の脚部材とを備えた配線接続装置。
【請求項２】
前記脚部材は前記挿通孔に回動可能に挿通される形状を有し、前記脚部材の前記端子側の端部に前記挿通孔の縁部に係止する係止突起を有し、かつ前記脚部材を回動することにより前記係止突起が嵌合する係止凹所を前記挿通孔の縁部に有する請求項１記載の配線接続装置。
【請求項３】
前記脚部材は板状の前記接続部材を貫通させる矩形状の嵌合孔を有し、前記係止突起と前記係止凹所は、前記脚部材が回動方向に９０度ずれた少なくとも２つの位置で係止可能に構成されている請求項２記載の配線接続装置。
【請求項４】
前記嵌合孔は前記脚部材の前記係止突起と反対側の端部に形成され、前記脚部材の内部は前記嵌合孔から前記係止突起側が前記接続部材の幅寸法よりも大きい内径もつ断面円形である請求項３記載の配線接続装置。
【請求項５】
請求項１、請求項２、請求項３または請求項４記載の配線接続装置を有する電気機器。
【発明の詳細な説明】
【技術分野】
【０００１】
本発明は、配線を電気機器のケースの端子に接続するための配線接続装置、例えば入力側端子板および出力側端子板に対して主回路配線をケースの背面側から接続する配線接続装置を有する回路遮断器等の電気機器に関するものである。
【背景技術】
【０００２】
従来のこの種の回路遮断器として、特許文献１に示すものが存在する。すなわち、図１１および図１２に示すように、ケース１００の両端部の底部において、入出力端子１０１、１０２と対応する位置の背面側に絶縁部材１０３を取着している。この絶縁部材１０３は、ケース１００の底部に背面側から取付ける横壁部１０４を有し、この横壁部１０４に、主回路配線（図示せず）を接続する接続部材１０５の配線接続部１０５ａを各極毎に挿通する通し孔１０６を形成し、さらに通し孔１０６から挿通された配線接続部１０５ａを所定位置まで覆う脚部１０７を横壁部１０４に有している。
【特許文献１】特開平６−２２３７０１号公報
【発明の開示】
【発明が解決しようとする課題】
【０００３】
このものにあっては、入出力端子１０１、１０２の各々の中央の極に他の極よりも長い接続部材１０５を用いており、これに対応して予め中央の極の脚部１０７を長く形成している。
【０００４】
しかし、中央の極以外の極に長い接続部材１０５を用いる場合には、その接続部材１０５に対応した長さの脚部１０７をもつ別の絶縁部材１０３、すなわち他の品番の絶縁部材を用意する必要があった。
【０００５】
そこで、すべての脚部の長さを同一とし、長い接続部材を用いる極には脚部の先端側に別部材を取着することが考えられる。しかし、その別部材が接続部材の先端側に抜けて接続部材の配線接続部を塞ぐ恐れがあり、その場合配線接続部に主回路配線を接続する作業が煩わしくなるという問題があった。
【０００６】
本発明は、かかる事由に鑑みて成されたものであり、その目的とするところは、接続部材の長さが変っても脚部の長さを容易に変更することができ、配線接続部に主回路配線を接続する作業が容易となる配線接続装置および電気機器を提供することにある。
【課題を解決するための手段】
【０００７】
この発明の配線接続装置は、ケースに並設した複数の端子と、前記複数の端子に接続される配線との間に介在される配線接続装置である。複数の接続部材は、前記複数の端子にそれぞれ接続された端子接続部を一端に有するとともに前記端子接続部から前記ケースの外方に延出する配線接続部を他端に有する。絶縁部材は前記複数の接続部材を挿通する挿通孔をそれぞれ有し前記ケースに配設される。筒状の脚部材は前記挿通孔に連通するように前記絶縁部材に着脱自在に取着され前記挿通孔を挿通した前記接続部材を挿通する。
【０００８】
上記構成において、前記脚部材は前記挿通孔に回動可能に挿通される形状を有し、前記脚部材の前記端子側の端部に前記挿通孔の縁部に係止する係止突起を有し、かつ前記脚部材を回動することにより前記係止突起が嵌合する係止凹所を前記挿通孔の縁部に有する。
【０００９】
上記構成において、前記脚部材は板状の前記接続部材を貫通させる矩形状の嵌合孔を有し、前記係止突起と前記係止凹所は、前記脚部材が回動方向に９０度ずれた少なくとも２つの位置で係止可能に構成されている。
【００１０】
上記構成において、前記嵌合孔は前記脚部材の前記係止突起と反対側の端部に形成され、前記脚部材の内部は前記嵌合孔から前記係止突起側が前記接続部材の幅寸法よりも大きい内径もつ断面円形である。
【００１１】
この発明の電気機器は、上記配線接続装置を有する。
【発明の効果】
【００１２】
この発明の配線接続装置によれば、接続部材を貫通する脚部材を絶縁部材に着脱自在に取着しているため、接続部材の長さが変っても絶縁部材を変えることなく接続部材に対応した長さの脚部材を変えればよいので、脚部材の長さを容易に変更することができる。また従来のように脚部に別部材を取着しないので、別部材を設けることによる不都合もない。
【００１３】
脚部材を挿通孔に挿通して係止突起が挿通孔の縁部に係止するため、脚部材が配線接続部を覆う方向に外れることがないので、配線接続部に主回路配線を接続する作業が煩雑にならず作業容易となる。また脚部材を挿通孔に挿通して回動させるだけで係止突起を係止凹部に係止することができるので、脚部材を絶縁部材に取着する作業が容易となる。
【００１４】
板状の接続部材が矩形状の嵌合孔に嵌合するため、脚部材の回転止めとなる。また脚部材が回動方向に９０度ずれた少なくとも２つの位置で係止可能となるため、主回路配線に合うように接続部材を互いに直交する２つの向きのいずれかに向けることができる。
【００１５】
脚部材の嵌合孔から係止突起側の内部が断面円形であるため、板状の脚部材の端子接続部と配線接続部が直角をなすように中間部に捻り部が形成されたものであっても、挿通孔を挿通する位置の両側にわたって捩り部を位置させることができるので、厚みの大きい接続部材にも対応することができる。
【発明を実施するための最良の形態】
【００１６】
この発明の第１の実施の形態を図１から図７により説明する。すなわち、この配線接続装置を有する回路遮断器は、ケース１と、接続部材２と、絶縁部材３と、脚部材４を有する。
【００１７】
ケース１は複数の端子５を並設している。実施の形態では、ケース１の両端部に締付螺子（図示せず）が螺合するねじ孔を形成した入力側端子板６および出力側端子板７をそれぞれ例えば３本すなわち３極分並設している。ケース１の端子板６、７の間の部分の構成は図示省略している。
【００１８】
複数の接続部材２は複数の端子５にそれぞれ接続された端子接続部８を一端に有するとともに端子接続部８からケース１の外方に延出した配線接続部９を他端に有する。実施の形態では、端子接続部８がねじ挿通孔１１を有してケース１の各端子板６、７に重ねられ、締付螺子によって各端子板６、７に接続され、配線接続部９が端子接続部８からケース１の背面方向に延出する形に連設され、配線接続部９に主回路配線（図示せず）を接続する。接続部材２は板状の部材により形成され、端子接続部８はＬ字形をなしその先端にねじ挿通孔１１を形成している。配線接続部９は先端に連結孔１２を形成している。さらに接続部材２は端子接続部８と配線接続部９が直角をなすように中間部に捻り部１０が形成されている。
【００１９】
絶縁部材３はケース１に配設され、複数の接続部材２を挿通する挿通孔１３をそれぞれ有する。実施の形態では絶縁カバーにより形成し、接続部材２の配線接続部９を各極毎に挿通する挿通孔１３を形成した横壁部１４およびこの横壁部１４に対して直交方向に連設されて端子接続部８を各極毎に隔離する複数の縦壁部１５を有する。さらに横壁部１４の周囲に立設された縦壁部１５の側部にも連接する周壁部１６を有する。各挿通孔１３の縁部には孔中心を間にして相対向する位置すなわち周方向に１８０度離れた位置に係止凹所１７を形成している。係止凹所１７は、横壁部１４の縦壁部形成面の挿通孔１３の周囲に挿通孔１３の軸線とは直交方向に凹み、挿通孔１３の縁部上に係止片２３を突設することにより挿通孔１３の縁部と係止片２３の間に形成され、係止片２３は挿通孔１３の反対側から成形金型が進入するための切欠１８を形成して成形金型により成形している。また縦壁部１５および周壁部１６のケース側端部にケース取着用の係止部１９が突設され、係止部１９を受ける係止凹部２０がケース１の両端面に形成されている。絶縁部材３をケース１の上方に位置し、係止部１９を係止凹部２０に縦方向に揃えて絶縁部材３を下降しながら係止部１９を係止凹部２０にスライドして落とし込むことにより絶縁部材３がケース１に着脱自在に取着される。
【００２０】
脚部材４は筒状であり、挿通孔１３に連通するように絶縁部材３に着脱自在に取着され、挿通孔１３を挿通した接続部材２を挿通している。実施の形態では、脚部材４は挿通孔１３に回動可能に挿通される形状を有し、脚部材４の端子側の端部に挿通孔１３の縁部に係止する係止突起２１を有し、かつ脚部材４を回動することにより、挿通孔１３の縁部に有する係止凹所１７に係止突起２１が嵌合し、配線接続部９を横壁部１４の挿通孔１３から所定位置まで覆う。すなわち、係止突起２１は脚部材４を挿通孔１３に挿通させた状態で挿通孔１３の孔縁に係止し、この状態で挿通孔１３の軸線を中心として回動させたときに係止凹所１７に嵌合しかつ回動規制されるように係止し、これにより脚部材４は絶縁部材３に着脱自在に取着されたこととなる。係止凹所１７は２個であるが、係止突起２１は脚部材４の外周均等４箇所に形成されている。このため、係止突起２１と係止凹所１７により、脚部材４が回動方向に９０度ずれた２つの位置で係止可能に構成される。なお、係止突起２１は切欠１８よりも大きく形成されて係止突起２１が切欠１８を抜け落ちないようにしている。
【００２１】
また、脚部材４は板状の接続部材２を貫通させる矩形状の嵌合孔２２を脚部材４の係止突起２１と反対側の端部に形成され、脚部材４の内部は嵌合孔２２から係止突起２１側が接続部材２の幅寸法よりも大きい内径もつ断面円形としている。そして接続部材２の配線接続部９が嵌合孔２２を挿通し、捩り部１０が脚部材４と縦壁部１５のある周壁部１６内にまたがって位置する。
【００２２】
第１の実施の形態によれば、絶縁部材３の脚部を絶縁部材３の横壁部１４に着脱自在に取着される脚部材４としているので、接続部材２の長さが変わると長さの異なる脚部材４を取着することで対応することができる。また、脚部材４を縦壁部形成面側から反対面側方向に向って挿通し、係止突起２１を挿通孔１３の周囲に係止するので、脚部材４が横壁部１４から外れても横壁部１４から縦壁部形成面とは反対側方向に抜けて接続部材２の配線接続部９を塞ぐことがなく、もって配線接続部９に主回路配線を接続する作業が容易となる。
【００２３】
また、脚部材４を横壁部１４に対して回動させるだけで係止突起２１を係止凹部１７に係止することができ、もって脚部材４を横壁部１４に取着する作業が容易となる。
【００２４】
脚部材４を回動方向に９０度ずれた位置の２箇所に係止できるため、主回路配線を接続する直交方向の２つの向きに合わせて接続部材２を配設することが可能となる。
【００２５】
さらに、脚部材４の先端の嵌合孔２２から反対側の端部までを断面円形の孔としたため、接続部材２の配線接続部９を端子接続部８からひねって90度ずらした接続部材２を用いる場合、その捩り部１０の箇所を縦壁部１５で区分けされる位置から脚部材４の先端位置までの間に位置することができ、厚みの厚い接続部材２も容易に対応することができる。
【００２６】
この発明の第２の実施の形態を図８により説明する。第１の実施の形態では接続部材２が捩り部１０を有したが、この実施の形態では捩り部１０がない場合である。この場合、嵌合孔２２の長手方向が第１の実施の形態と比較して９０度回動した位置とする必要があるため、脚部材４が挿通孔１３に対して９０度回動して４つの係止突起２１のうち別の一対の係止突起２１を係止凹所１７に係止している。
【００２７】
この発明の第３の実施の形態を図９により説明する。図９は回路遮断器の底面図である。すなわち、入力端子板６側が配線接続部９の幅方向を端子板６の並び方向に平行とし、接続部材２は捩り部１０のないものを使用し、出力端子板７側が配線接続部９の幅方向を端子板７の並び方向と直角としており、捩り部１０のある接続部材２を使用している。
【００２８】
この発明の第４の実施の形態を図１０により説明する。すなわち、この配線接続装置は、絶縁部材３に取着された３本の脚部材４のうち１本の嵌合孔２２の長手方向が脚部材４の並び方向と直角で残りが平行に配置された例である。この場合、上記嵌合孔２２を挿通する接続部材２は捩り部１０のあるものを使用し、残り２本の接続部材２は捩り部１０のないものを使用している。
【００２９】
なお、この発明の電気機器は、回路遮断器以外にも適用可能である。
【００３０】
また係止突起２１は脚部材４の周囲に鍔状に形成してもよく、例えば脚部材は、縦壁部形成面側から反対面側方向に向って挿通孔１３に挿通される挿通部と、この挿通部に連設されて横壁部１４の挿通孔１３の孔径よりも大径に形成されて縦壁部形成面の挿通孔１３の周囲に係止される鍔部とを有して横壁部１４に着脱自在に取着される構成としてもよい。この場合、係止凹所１７はなくてもよい。また鍔部を別の手段により回転止め固定してもよい。
【００３１】
さらに、脚部材４の係止位置は２箇所以上であってもよく、この場合接続部材２の捩り部１０も９０度以上あるいは以下にすることが可能である。
【図面の簡単な説明】
【００３２】
【図１】この発明の第１の実施の形態の回路遮断器の絶縁部材を断面した部分断面側面図である。
【図２】回路遮断器の側面図である。
【図３】配線接続装置の分解斜視図である。
【図４】配設接続装置の背面図である。
【図５】接続部材を装着した状態の断面図である。
【図６】配設接続装置の平面図である。
【図７】回路遮断器の背面側すなわち取付面側からみた底面図である。
【図８】第２の実施の形態の側面図である。
【図９】第３の実施の形態の回路遮断器の取付面側からみた底面図である。
【図１０】第４の実施の形態の配線接続装置の平面図である。
【図１１】従来例の一部断面側面図である。
【図１２】絶縁部材の取付けを示す部分分解斜視図である。
【符号の説明】
【００３３】
１    ケース
２    接続部材
３    絶縁部材
４    脚部材
５    端子
８    端子接続部
９    配線接続部
１０    捩り部
１３    挿通孔
１７    係止凹所
２１    係止突起
２２    嵌合孔
【図１】
2005243262.tif 000003
【図２】
2005243262.tif 000004
【図３】
2005243262.tif 000005
【図４】
2005243262.tif 000006
【図５】
2005243262.tif 000007
【図６】
2005243262.tif 000008
【図７】
2005243262.tif 000009
【図８】
2005243262.tif 000010
【図９】
2005243262.tif 000011
【図１０】
2005243262.tif 000012
【図１１】
2005243262.tif 000013
【図１２】
2005243262.tif 000014